(57)【特許請求の範囲】
【請求項１】
物体側より順に、絞りと、正の屈折力を有する第１レンズと、負の屈折力を有する第２レンズと、非球面レンズである第３レンズからなり、
前記第３レンズの形状は、光軸を含むレンズ断面で見たとき、前記光軸の近傍における形状が物体側に凸面を向けたメニスカス形状で、周辺部における物体側面及び像側面の形状が像側に凸面を向けたメニスカス形状であり、
以下の条件式を満足する広角光学系。
−０．４０＜ｆ／ｆ３＜０．１５                    ・・・（１−１）
０．３０＜ｈｃ７／ｈｐ７＜２．０                  ・・・（１−２）
０．９＜Ｒ２／Ｒ３≦１．９９                      ・・・（４”）
０．３≦（Ｒ１＋Ｒ２）／（Ｒ１−Ｒ２）＜０．８    ・・・（９”）
ただし、ｆは前記広角光学系における全系の焦点距離、
ｆ３は前記第３レンズの焦点距離、
Ｒ１は前記第１レンズの物体側面の曲率半径、
Ｒ２は前記第１レンズの像側面の曲率半径、
Ｒ３は前記第２レンズの物体側面の曲率半径、
とする。
また、前記絞りの中心を前記光軸に対して３６度の角度で通過する光線をＬｍとしたとき、Ｌｍが前記第３レンズの像側面を通過する点をＰｍ７、
Ｐｍ７から前記光軸までの距離をｈｃ７、
前記第３レンズの像側面における凸形状の頂点Ｐｐ７から前記光軸までの距離をｈｐ７
とする。
【請求項２】
物体側より順に、絞りと、正の屈折力を有する第１レンズと、負の屈折力を有する第２レンズと、非球面レンズである第３レンズからなり、
前記第３レンズの形状は、光軸を含むレンズ断面で見たとき、前記光軸の近傍における形状が物体側に凸面を向けたメニスカス形状で、周辺部における物体側面及び像側面の形状が像側に凸面を向けたメニスカス形状であり、
以下の条件式を満足する広角光学系。
−０．４０＜ｆ／ｆ３＜０．１５                    ・・・（１−１）
０．３０＜ｈｃ７／ｈｐ７＜２．０                  ・・・（１−２）
ν２＜２５                                        ・・・（３）
０．０７＜（Ｒ１＋Ｒ２）／（Ｒ１−Ｒ２）＜０．８  ・・・（９）
ただし、ｆは前記広角光学系における全系の焦点距離、
ｆ３は前記第３レンズの焦点距離、
ν２は前記第２レンズのアッベ数、
Ｒ１は前記第１レンズの物体側面の曲率半径、
Ｒ２は前記第１レンズの像側面の曲率半径、
とする。
また、前記絞りの中心を前記光軸に対して３６度の角度で通過する光線をＬｍとしたとき、Ｌｍが前記第３レンズの像側面を通過する点をＰｍ７、
Ｐｍ７から前記光軸までの距離をｈｃ７、
前記第３レンズの像側面における凸形状の頂点Ｐｐ７から前記光軸までの距離をｈｐ７
とする。
【請求項３】
以下の条件を満足する請求項１又は２に記載の広角光学系
０．０６＜ｄｐ７／ｆ＜０．３                      ・・・（２）
ただし、ｄｐ７は前記第３レンズの像側面と前記光軸との交点Ｐｃ７から前記頂点Ｐｐ７までの光軸方向の長さである。
【請求項４】
前記第２レンズは、以下の条件式（３）を満足することを特徴とする請求項１又は３に記載の広角光学系。
ν２＜２５                                        ・・・（３）
ただし、ν２は前記第２レンズのアッベ数である。
【請求項５】
前記第１レンズ及び前記第２レンズは、以下の条件式（４）を満足することを特徴とする請求項２に記載の広角光学系。
０．９＜Ｒ２／Ｒ３＜４．４                        ・・・（４）
ただし、Ｒ２は前記第１レンズの像側面の曲率半径、
Ｒ３は前記第２レンズの物体側面の曲率半径、
である。
【請求項６】
以下の条件式（５）を満足することを特徴とする請求項１乃至請求項５のいずれかに記載の広角光学系。
０．３＜｜Ｈｒ／Σｄ｜＜１．４                    ・・・（５）
ただし、Ｈｒは結像面から後側主点位置までの距離、
Σｄは前記広角光学系の全長、
である。
【請求項７】
以下の条件式（６）を満足することを特徴とする請求項１乃至請求項６のいずれかに記載の広角光学系。
−２．０＜Ｅｘｐ／ｆ＜−０．４５                  ・・・（６）
ただし、ｆは前記広角光学系における全系の焦点距離、
Ｅｘｐは像面位置から射出瞳位置までの距離、
である。
【請求項８】
以下の条件式（７）を満足することを特徴とする請求項１乃至請求項７のいずれかに記載の広角光学系。
０．１(mm)＜Ｌ３ｄ／Ｆｎｏｓ＜０．７(mm)          ・・・（７）
ただし、Ｌ３ｄは前記第３レンズの物体側の面から結像位置までの距離をmm単位で示した値、
Ｆｎｏｓは最小Ｆナンバー、
である。
【請求項９】
以下の条件式（８）を満足することを特徴とする請求項１乃至請求項８のいずれかに記載の広角光学系。
２５％＜ＩＬＬ＜４５％                            ・・・（８）
ただし、ＩＬＬは中心の光量に対する最周辺の光量の割合である。
【請求項１０】
以下の条件式（１０−１）〜（１０−４）を満足することを特徴とする請求項１乃至請求項９のいずれかに記載の広角光学系。
０．３９＜ｆｂ／ｆ＜０．８５                    ・・・（１０−１）
−１．２＜ｆ２／ｆ＜−０．３                    ・・・（１０−２）
−０．１８＜（ｎ１−ｎ３）＜０．０８            ・・・（１０−３）
１．３＜ｄ４／ｄ５＜９                          ・・・（１０−４）
ただし、ｆｂは前記広角光学系の後側焦点位置、
ｆ２は前記第２レンズの焦点距離
ｎ１、ｎ２はそれぞれ、前記第１レンズ、前記第２レンズの屈折率、
ｄ４は前記第２レンズの肉厚、
ｄ５は前記第２レンズと前記第３レンズの空気間隔
である。
【請求項１１】
請求項１乃至請求項１０のいずれか１項記載の広角光学系と、
その広角光学系の像側に配され、光学像を電気信号に変換する撮像素子と
を備えたことを特徴とする撮像装置。
【発明の詳細な説明】
【技術分野】
【０００１】
本発明は、広角光学系及びそれを用いた撮像装置に関し、特に、比較的近接で撮影する広画角小型光学系に関するものである。
【背景技術】
【０００２】
近年、携帯電話や携帯端末機、あるいはノートパソコン等の薄型化に伴い、光学系の光軸方向の長さを極限まで薄型化したカメラモジュールが求められている。この要求に応えるために、非球面レンズ２〜３枚程度で構成された単焦点の光学系が数多く提案されている。
【０００３】
また、近年、撮像素子の周辺部において、斜めに入射しても感度が落ちない撮像素子が開発され、それに伴い、光学系の射出瞳位置を撮像素子側に近づけることで光学系全長を短縮することが可能になっている。光学系全長の短縮を図った光学系として、レンズ枚数を３枚とし、射出瞳位置を撮像素子側に近づけた以下のものが提案されている（特許文献１乃至３参照）。
【特許文献１】特開２００７−３７６８号公報
【特許文献２】特開２００７−４７５１３号公報
【特許文献３】特開２００７−５８１５３号公報
【発明の開示】
【発明が解決しようとする課題】
【０００４】
上記特許文献１乃至３に記載された技術は、正、負、負のテレフォトタイプとすることで、光学系全長の短縮化を図っている。しかしながら、このタイプは、焦点距離に対して全長を小さくする理由から、本来望遠系で用いるものである。そのため、広角化するにしたがい、倍率の色収差、コマ収差、像面湾曲、ディストーションといった、諸収差が発生する。
【０００５】
このようなことから、上記特許文献１乃至３に記載されたものは、十分に広い画角が得られていない。また、近接した被写体(物点)に対して、十分に補正された像を形成できていない。
【０００６】
本発明は従来技術のこれらの問題点に鑑みてなされたものであり、その目的は、製造誤差よる結像性能の変化を小さくすると共に、広いエリアを撮影可能である特徴をもつ広角光学系を提供することである。
【課題を解決するための手段】
【０００７】
上記目的を達成する本発明の広角光学系は、
物体側より順に、絞りと、正の屈折力を有する第１レンズと、負の屈折力を有する第２レンズと、非球面レンズである第３レンズからなり、
前記第３レンズの形状は、光軸を含むレンズ断面で見たとき、前記光軸の近傍における形状が物体側に凸面を向けたメニスカス形状で、周辺部における物体側面及び像側面の形状が像側に凸面を向けたメニスカス形状であり、
以下の条件式を満足する。
−０．４０＜ｆ／ｆ３＜０．１５                    ・・・（１−１）
０．３０＜ｈｃ７／ｈｐ７＜２．０                  ・・・（１−２）
０．９＜Ｒ２／Ｒ３≦１．９９                      ・・・（４”）
０．３≦（Ｒ１＋Ｒ２）／（Ｒ１−Ｒ２）＜０．８    ・・・（９”）
ただし、ｆは前記広角光学系における全系の焦点距離、
ｆ３は前記第３レンズの焦点距離、
Ｒ１は前記第１レンズの物体側面の曲率半径、
Ｒ２は前記第１レンズの像側面の曲率半径、
Ｒ３は前記第２レンズの物体側面の曲率半径、
とする。
また、前記絞りの中心を前記光軸に対して３６度の角度で通過する光線をＬｍとしたとき、Ｌｍが前記第３レンズの像側面を通過する点をＰｍ７、
Ｐｍ７から前記光軸までの距離をｈｃ７、
前記第３レンズの像側面における凸形状の頂点Ｐｐ７から前記光軸までの距離をｈｐ７
とする。
【０００８】
上記目的を達成する本発明の広角光学系は、
物体側より順に、絞りと、正の屈折力を有する第１レンズと、負の屈折力を有する第２レンズと、非球面レンズである第３レンズからなり、
前記第３レンズの形状は、光軸を含むレンズ断面で見たとき、前記光軸の近傍における形状が物体側に凸面を向けたメニスカス形状で、周辺部における物体側面及び像側面の形状が像側に凸面を向けたメニスカス形状であり、
以下の条件式を満足する広角光学系。
−０．４０＜ｆ／ｆ３＜０．１５                    ・・・（１−１）
０．３０＜ｈｃ７／ｈｐ７＜２．０                  ・・・（１−２）
ν２＜２５                                        ・・・（３）
０．０７＜（Ｒ１＋Ｒ２）／（Ｒ１−Ｒ２）＜０．８  ・・・（９）
ただし、ｆは前記広角光学系における全系の焦点距離、
ｆ３は前記第３レンズの焦点距離、
ν２は前記第２レンズのアッベ数、
Ｒ１は前記第１レンズの物体側面の曲率半径、
Ｒ２は前記第１レンズの像側面の曲率半径、
とする。
また、前記絞りの中心を前記光軸に対して３６度の角度で通過する光線をＬｍとしたとき、Ｌｍが前記第３レンズの像側面を通過する点をＰｍ７、
Ｐｍ７から前記光軸までの距離をｈｃ７、
前記第３レンズの像側面における凸形状の頂点Ｐｐ７から前記光軸までの距離をｈｐ７
とする。
【０００９】
また、前記第２レンズは、以下の条件式（３）を満足することを特徴とする。
ν２＜２５                                        ・・・（３）
ただし、ν２は前記第２レンズのアッベ数である。
【００１０】
また、前記第１レンズ及び前記第２レンズは、以下の条件式（４）を満足することを特徴とする。
０．９＜Ｒ２／Ｒ３＜４．４                        ・・・（４）
ただし、Ｒ２は前記第１レンズの像側面の曲率半径、
Ｒ３は前記第２レンズの物体側面の曲率半径、
である。
【００１１】
また、以下の条件式（５）を満足することを特徴とする。
０．３＜｜Ｈｒ／Σｄ｜＜１．４                    ・・・（５）
ただし、Ｈｒは結像面から後側主点位置までの距離、
Σｄは光学系全長、
である。
【００１２】
また、以下の条件式（６）を満足することを特徴とする。
−２．０＜Ｅｘｐ／ｆ＜−０．４５                  ・・・（６）
ただし、ｆは前記広角光学系における全系の焦点距離、
Ｅｘｐは像面位置から射出瞳位置までの距離、
である。
【００１３】
また、以下の条件式（７）を満足することを特徴とする。
０．１＜Ｌ３ｄ／Ｆｎｏｓ＜０．７                  ・・・（７）
ただし、Ｌ３ｄは前記第３レンズの物体側の面から結像位置までの距離、
Ｆｎｏｓは最小Ｆナンバー、
である。
【００１４】
また、以下の条件式（８）を満足することを特徴とする。
２５％＜ＩＬＬ＜４５％                            ・・・（８）
ただし、ＩＬＬは中心の光量に対する周辺の光量の割合である。
【００１６】
また、以下の条件式（１０−１）〜（１０−４）を満足することを特徴とする。
０．３９＜ｆｂ／ｆ＜０．８５                      ・・・（１０−１）
−１．２＜ｆ２／ｆ＜−０．３                      ・・・（１０−２）
−０．１８＜（ｎ１−ｎ３）＜０．０８              ・・・（１０−３）
１．３＜ｄ４／ｄ５＜９                            ・・・（１０−４）
ただし、ｆｂは前記広角光学系の後側焦点位置、
ｆ２は前記第２レンズの焦点距離
ｎ１、ｎ２はそれぞれ、前記第１レンズ、前記第２レンズの屈折率、
ｄ４は前記第２レンズの肉厚、
ｄ５は前記第２レンズと前記第３レンズの空気間隔
である。
【００１７】
さらに、上記目的を達成する本発明の撮像装置は、前記広角光学系と、その広角光学系の像側に配され、光学像を電気信号に変換する撮像素子とを備えたことを特徴とする。
【発明の効果】
【００１８】
以上の本発明によると、良好な結像性能を維持した近接撮影が可能であると共に、広いエリアの撮影が可能になる。
【発明を実施するための最良の形態】
【００１９】
本発明の実施形態について説明する。
【００２０】
本実施形態の広角光学系は、物体側より順に、絞りと、正の屈折力を有する第１レンズＬ１と、負の屈折力を有する第２レンズＬ２と、非球面レンズである第３レンズＬ３を有している。そして、第３レンズＬ３の形状は、光軸を含むレンズ断面で見たとき、光軸の近傍における形状が物体側に凸面を向けたメニスカス形状で、周辺部における物体側面及び像側面の形状が像側に凸面を向けたメニスカス形状となっている。そしてこのような構成において、以下の条件式を満足することが望ましい。
−０．４０＜ｆ／ｆ３＜０．１５                    ・・・（１−１）
０．３０＜ｈｃ７／ｈｐ７＜２．０                  ・・・(１−２)
ただし、ｆは前記広角光学系における全系の焦点距離、ｆ３は前記第３レンズの焦点距離とする。また、前記絞りの中心を前記光軸に対して３６度の角度で通過する光線をＬｍとしたとき、Ｌｍが前記第３レンズの像側面を通過する点をＰｍ７、Ｐｍ７から前記光軸までの距離をｈｃ７、前記第３レンズの像側面における凸形状の頂点Ｐｐ７から前記光軸までの距離をｈｐ７とする。
【００２１】
本実施形態の広角光学系では、第３レンズＬ３に非球面レンズを用いている。そして、光軸を含むレンズ断面で見たとき、非球面の形状を次のようにしている。まず、光軸近傍における形状については、物体側に凸面を向けたメニスカス形状にしている。すなわち、物体側のレンズ面も像側のレンズ面も、物体側に凸になっている。このように、第３レンズＬ３は、光軸近傍においてはメニスカスレンズとして機能する。
【００２２】
一方、周辺部における形状については、像側に凸面を向けたメニスカス形状になっている。すなわち、物体側のレンズ面も像側のレンズ面も、像側に凸になっている。このように、第３レンズＬ３は、周辺部においてもメニスカスレンズとして機能する。
【００２３】
そして、本実施形態の広角光学系は、上記の構成を備えた上で、条件式（１−１）を満足している。条件式（１−１）を満足することで、負の屈折力を有する第２レンズの効果による主点の位置を光学系の物体側に位置させる効果を保ちつつ、焦点距離に対して全長を十分に小さくすることが可能となる。また、最も物体側に絞りを配置するので、射出瞳を像面から離すことができる。これにより、撮像素子Ｅ周辺部に入射する光線の角度を小さくすることができる。その結果、撮像素子Ｅ周辺部の感度低下を回避することが可能となる。
【００２４】
また、光学系を広角化すると、撮像素子Ｅ周辺部に入射する軸外主光線の入射角が大きくなる。そこで、条件式（１−２）を満足することで、撮像素子Ｅ周辺部に入射する軸外主光線の入射角を小さくすることができる。これにより、撮像素子Ｅ周辺部の感度低下を回避することが可能となる。また、第２レンズＬ２により発生する糸巻き型のディストーションを補正する効果も有する。
【００２５】
条件式（１−１）の下限を下回ると、第３レンズＬ３の中心のパワーが大きくなり過ぎてしまう。そのため、軸上の色収差が著しく発生し、結像性能を悪化させる。
【００２６】
条件式（１−１）の上限を上回ると、第３レンズＬ３の中心の発散作用が小さくなりすぎる。そのため、主点位置が像側に移動し、光学系が大型化してしまう。
【００２７】
条件式（１−２）の下限を下回ると、第３レンズＬ３の周辺のパワーが大きくなり過ぎてしまう。そのため、倍率の色収差が著しく発生し、結像性能を悪化させる。
【００２８】
条件式（１−２）の上限を上回ると、第３レンズＬ３の周辺の収斂作用が小さくなりすぎる。そのため、撮像素子Ｅ周辺部に入射する軸外主光線の入射角が大きくなり、撮像素子Ｅ周辺部の感度低下を生じる。
【００２９】
また、本実施形態の広角光学系は、以下の条件式を満足することを満足することが望ましい。
０．０６＜ｄｐ７／ｆ＜０．３                      ・・・（２）
ただし、ｄｐ７は第３レンズＬ３の像側面と光軸との交点Ｐｃ７から頂点Ｐｐ７までの光軸方向の長さである。
【００３０】
光学系を広角化すると、撮像素子Ｅ周辺部に入射する軸外主光線の入射角が大きくなる。そこで、第３レンズＬ３の周辺部の非球面形状について、条件式（２）を満足することで、撮像素子Ｅ周辺部に入射する軸外主光線の入射角を小さくすることができる。これにより、撮像素子Ｅ周辺部の感度低下を回避することが可能となる。
【００３１】
条件式（２）の下限を下回ると、第３レンズＬ３の周辺のパワーが大きくなり過ぎてしまう。そのため、倍率の色収差が著しく発生し、結像性能を悪化させる。
【００３２】
条件式（２）の上限を上回ると、第３レンズＬ３の周辺の収斂作用が小さくなりすぎる。そのため、撮像素子Ｅ周辺部に入射する軸外主光線の入射角が大きくなり、撮像素子Ｅ周辺部の感度低下を生じる。
【００３３】
なお、条件式（１−１），（１−２）及び（２）におけるパラメータ（Ｌｍ、Ｐｍ７、ｈｃ７、Ｐｐ７、ｈｐ７及びｄｐ７）については、図１５に示しているとおりである。
【００３４】
また、第２レンズＬ２は、以下の条件式（３）を満足することが望ましい。
ν２＜２５                                        ・・・（３）
ただし、ν２は第２レンズＬ２のアッベ数である。
【００３５】
光学系を広角化するためには、第１レンズＬ１の焦点距離を小さくする必要があるが、焦点距離を小さくすると色収差が発生する。また、第３レンズＬ３は、上述した形状の非球面レンズである。すなわち、第３レンズＬ３の像側の面は変曲点を有する。そのため、第３レンズＬ３で軸上の色収差を補正すると、周辺部で著しい倍率の色収差が発生する。従って、第２レンズＬ２に高分散な材料を用いることで、倍率の色収差補正を行うことが好ましい。なお、その際、第２レンズＬ２には、コマ収差が増大しない適度なパワーを与えることが好ましい。
【００３６】
条件式（３）の上限を上回ると、第２レンズＬ２で倍率の色収差の除去が不十分となり、周辺性能が著しく劣化する。
【００３７】
また、第１レンズＬ１及び第２レンズＬ２は、以下の条件式（４）を満足することが望ましい。
０．９＜Ｒ２／Ｒ３＜４．４                        ・・・（４）
ただし、Ｒ２は第１レンズＬ１の像側面の曲率半径、Ｒ３は第２レンズＬ２の物体側面の曲率半径、である。
【００３８】
条件式（４）は、収差を悪化させずに第１レンズＬ１と第２レンズＬ２の空気間隔を小さくするための条件である。条件式（４）を満足すれば、第１レンズＬ１と第２レンズＬ２を近接させて配置することが可能となるので、光学系の薄型化に寄与する。
【００３９】
条件式（４）の下限を下回ると、コマ収差の発生が大きくなる。
【００４０】
条件式（４）の上限を上回ると、空気間隔を大きくする必要があり、サイズが大きくなる。
【００４１】
また、以下の条件式（５）を満足することが望ましい。
０．３＜｜Ｈｒ／Σｄ｜＜１．４                    ・・・（５）
ただし、Ｈｒは結像面から後側主点位置までの距離、Σｄは広角光学系における全系の全長、である。
【００４２】
条件式（５）を満足することで、像面湾曲の発生を抑えながら、光学系の全長を小さくすることが可能である。
【００４３】
条件式（５）の下限を下回ると、全長が大きくなる。
【００４４】
条件式（５）の上限を上回ると、全長に対し、光学系の画角が大きくなり過ぎてしまう。そのため、像面湾曲の補正が困難になる。
【００４５】
また、以下の条件式（６）を満足することが望ましい。
−２．０＜Ｅｘｐ／ｆ＜−０．４５                  ・・・（６）
ただし、ｆは広角光学系における全系の焦点距離、Ｅｘｐは像面位置から射出瞳位置までの距離、である。
【００４６】
条件式（６）を満足することで、小型化と周辺性能の維持の両立を図ることができる。
【００４７】
条件式（６）の下限を下回ると、射出瞳を遠くする必要があり、光学系が大きくなる。
【００４８】
条件式（６）の上限を上回ると、撮像素子の周辺への入射角が大きくなりすぎる。そのため、周辺性能の劣化が著しくなる。
【００４９】
また、以下の条件式（７）を満足することが望ましい。
０．１(mm)＜Ｌ３ｄ／Ｆｎｏｓ＜０．７(mm)          ・・・（７）
ただし、Ｌ３ｄは第３レンズＬ３の物体側の面から結像位置までの距離、Ｆｎｏｓは最小Ｆナンバー、である。
【００５０】
条件式（７）の下限を下回ると、Ｆナンバーが小さくなるので、光学系内のゴミが目立つ。あるいは、第３レンズＬ３の物体側の面から結像位置までの距離が近いため、光学系内のゴミが目立つ。
【００５１】
条件式（７）の上限を上回ると、第３レンズＬ３の物体側の面から結像位置までの距離が長いため、光学系が大きくなりすぎる。
【００５２】
また、以下の条件式（８）を満足することが望ましい。
２５％＜ＩＬＬ＜４５％                            ・・・（８）
ただし、ＩＬＬは中心の光量に対する周辺の光量の割合である。
【００５３】
本実施形態の広角光学系は所謂テレフォトタイプであるため、正のディストーションが発生する傾向にある。正のディストーションが発生すると、周辺光量が低下する。そこで、周辺光量を向上させるために、負のディストーションになるように補正している。撮像素子Ｅとレンズ枠が光軸に対して、垂直な方向にずれると、ディストーションが非対称に発生する。ディストーションが非対称に発生すると、周辺光量が非対称になり、画質を著しく悪化させる。従って、条件式（８）を満足することで、非対称なディストーションの発生を抑えることができ、中心光量と周辺光量のバランスを保つことができる。
【００５４】
条件式（８）の下限を下回ると、周辺光量が少なくなりすぎる。この場合、電気補正で像の明るさを調整する（像を明るくする）ことが困難である。
【００５５】
条件式（８）の上限を上回ると、負のディストーションの発生量が大きくなる。そのため、偏心に対するディストーションの感度が大きくなり、非対称なディストーションが発生しやすくなる。したがって、調整などの工数が必要となり、生産コストの増大につながる。なお、ここでの偏心とは、撮像素子Ｅとレンズ枠の中心軸のずれのことである。
【００５６】
また、以下の条件式（９）を満足することが望ましい。
０．０７＜（Ｒ１＋Ｒ２）／（Ｒ１−Ｒ２）＜０．８  ・・・（９）
ただし、Ｒ１は第１レンズＬ１の物体側面の曲率半径、
Ｒ２は第１レンズＬ１の像側面の曲率半径、
である。
【００５７】
第1レンズＬ１は光学系でもっとも小さい焦点距離を有するため、製造時にその組立誤差の影響をもっとも受けやすい。したがって、条件式（９）を満足することで、製造ばらつきの少なくし良好な光学性能を達成することが出来る。
【００５８】
条件式（９）の下限を下回ると、Ｒ１の曲率半径が小さくなりすぎる。従って、第1レンズＬ１の物体側面に入射する光線の傾きが面の法線に対して大きくなり、レンズの偏心感度が増大してしまう。
【００５９】
条件式（９）の上限を上回ると、Ｒ１の曲率半径が小さくなりすぎる。従って、第1レンズＬ１の像側面から射出する光線の傾きが面の法線に対して大きくなり、レンズの偏心感度が増大してしまう。
【００６０】
また、以下の条件式（１０−１）〜（１０−４）を満足することが望ましい。
０．３９＜ｆｂ／ｆ＜０．８５                      ・・・（１０−１）
−１．２＜ｆ２／ｆ＜−０．３                      ・・・（１０−２）
−０．１８＜（ｎ１−ｎ３）＜０．０８              ・・・（１０−３）
１．３＜ｄ４／ｄ５＜９                            ・・・（１０−４）
ただし、ｆｂは広角光学系（第1レンズＬ１〜第３レンズＬ３）の後側焦点位置、ｆ２は第２レンズＬ２の焦点距離、ｎ１、ｎ２はそれぞれ、第１レンズＬ１、第２レンズＬ２の屈折率、ｄ４は第２レンズＬ２の肉厚、ｄ５は第２レンズＬ２と第３レンズＬ３の空気間隔である。
【００６１】
条件式（１０−１）の下限を下回ると、最も像側のレンズが、センサーに近づきすぎるために、レンズについたゴミやキズがセンサーに写りこみ、画質の劣化をきたす。
【００６２】
条件式（１０−１）の上限を上回ると、第１レンズＬ１から第３レンズＬ３までの距離が小さくなりすぎる。この場合、偏心感度が大きくなり、製造誤差の影響を受けやすくなる。その結果、結像性能を悪化させる。
【００６３】
条件式（１０−２）の下限を下回ると、第２レンズＬ２のパワーが強くなりすぎる。その結果、コマ収差の発生が強くなるので、結像性能を悪化させる。
【００６４】
条件式（１０−２）の上限を上回ると、第２レンズＬ２のパワーが弱くなる。この場合、主点位置が像側に移動するため、全長が大きくなってしまう。
【００６５】
条件式（１０−３）の下限を下回ると、第３レンズＬ３の屈折率が高くなる。この場合、面形状の製造誤差により、ディストーションや像面湾曲が発生する。その結果、結像性能が悪化する。
【００６６】
条件式（１０−３）の上限を上回ると、第１レンズＬ１の屈折率が高くなる。この場合、面形状の製造誤差により、球面収差やコマ収差が発生する。その結果、結像性能が悪化する。
【００６７】
条件式（１０−４）の下限を下回ると、第３レンズＬ３の屈折率が高くなる。この場合、面形状の製造誤差により、ディストーションや像面湾曲が発生する。その結果、結像性能が悪化する。
【００６８】
条件式（１０−４）の上限を上回ると、第１レンズＬ１の屈折率が高くなる。この場合、面形状の製造誤差により、球面収差やコマ収差が発生する。その結果、結像性能が悪化する。
【００６９】
なお、全てのレンズは樹脂で構成されるのが好ましい。
【００７０】
また、最も物体側にシャッターを配置するのが好ましい。この際、シャッターは絞りと兼ねても別体でもどちらでもよい。
【００７１】
また、最も物体側に可変絞りを配置するのが好ましい。
【００７２】
なお、本実施形態の広角光学系は、条件式（１−１）及び（１−２）に代えて、以下の条件式を満足することが好ましい。
−０．２５＜ｆ／ｆ３＜０．０１                    ・・・（１−１'）
０．５０＜ｈｃ７／ｈｐ７＜１．２４                ・・・(１−２')
【００７３】
また、本実施形態の広角光学系は、条件式（１−１’）に代えて、以下の条件式を満足することが好ましい。
−０．２５＜ｆ／ｆ３＜−０．０２                  ・・・（１−１’’）
【００７４】
上記条件式を満足することで、第３レンズＬ３の軸上のパワーと軸外のパワーの差がつけやすくなる。これにより、光学系を更に小型化しやすくなるとともにディストーションの補正が容易になる。
【００７５】
また、本実施形態の広角光学系は、条件式（２）に代えて、以下の条件式を満足することが好ましい。
０．０９＜ｄｐ７／ｆ＜０．１９                    ・・・（２’）
【００７６】
また、本実施形態の広角光学系は、条件式（４）に代えて、以下の条件式を満足することが好ましい。
１．２＜Ｒ２／Ｒ３＜２．８                        ・・・（４’）
【００７７】
また、本実施形態の広角光学系は、条件式（５）に代えて、以下の条件式を満足することが好ましい。
０．４６＜｜Ｈｒ／Σｄ｜＜０．８９                ・・・（５’）
【００７８】
また、本実施形態の広角光学系は、条件式（６）に代えて、以下の条件式を満足することが好ましい。
−１．３＜Ｅｘｐ／ｆ＜−０．５８                  ・・・（６’）
【００７９】
また、本実施形態の広角光学系は、条件式（７）に代えて、以下の条件式を満足することが好ましい。
０．１８＜Ｌ３ｄ／Ｆｎｏｓ＜０．４３              ・・・（７’）
【００８０】
また、本実施形態の広角光学系は、条件式（８）に代えて、以下の条件式を満足することが好ましい。
２５％＜ＩＬＬ＜４２％                            ・・・（８’）
【００８１】
また、本実施形態の広角光学系は、条件式（９）に代えて、以下の条件式を満足することが好ましい。
０．０９＜（Ｒ１＋Ｒ２）／（Ｒ１−Ｒ２）＜０．４９・・・（９’）
【００８２】
また、本実施形態の広角光学系は、条件式（１０−１）〜（１０−４）に代えて、以下の条件式を満足することが好ましい。
０．３９＜ｆｂ／ｆ＜０．４５                      ・・・（１０−１’）
−１．２＜ｆ２／ｆ＜−０．１                      ・・・（１０−２’）
−０．０１＜（ｎ１−ｎ３）＜０．０５              ・・・（１０−３’）
１．３＜ｄ４／ｄ５＜４                            ・・・（１０−４’）
【００８３】
以下に、撮像光学系の実施例１〜７について、図面を参照して説明する。各図中、１は広角光学系、２は中心軸、３は像面、Ｌ１は第１レンズ、Ｌ２は第２レンズ、Ｌ３は第３レンズ、Ｓは明るさ絞り、Ｃはカバーガラス、ＥはＣＣＤ等の撮像素子を示す。全ての実施例の数値データ及び各条件式はそれぞれ後記する。また、近軸焦点距離が正の値を持つレンズを正レンズ、近軸焦点距離が負の値を持つレンズを負レンズとする。ただし、実施例７は、参考例であり、本発明には含まれない。
【００８４】
図１は本発明の撮像光学系の実施例１のレンズ構成図である。
【００８５】
広角光学系１は、図１に示すとおり、物体側より順に、明るさ絞りＳと、両凸正レンズからなる第１レンズＬ１と、像面側に凸面を向けた負メニスカスレンズからなる第２レンズＬ２と、物体側に凸面を向けた負メニスカスレンズからなる第３レンズＬ３と、カバーガラスＣと、で構成されている。
【００８６】
また、第１レンズＬ１、第２レンズＬ２及び第３レンズＬ３は、いずれも両面に非球面が用いられている。特に、第３レンズＬ３における非球面は、周辺部を弱い負又は正の屈折力となるような形状で、条件式（１）を満たすように構成されている。
【００８７】
図２は本発明の撮像光学系の実施例２のレンズ構成図である。
【００８８】
広角光学系１は、図２に示すとおり、物体側より順に、明るさ絞りＳと、両凸正レンズからなる第１レンズＬ１と、像面側に凸面を向けた負メニスカスレンズからなる第２レンズＬ２と、物体側に凸面を向けた負メニスカスレンズからなる第３レンズＬ３と、カバーガラスＣと、で構成されている。
【００８９】
また、第１レンズＬ１、第２レンズＬ２及び第３レンズＬ３は、いずれも両面に非球面が用いられている。特に、第３レンズＬ３における非球面は、周辺部を弱い負又は正の屈折力となるような形状で、条件式（１）を満たすように構成されている。
【００９０】
図３は本発明の撮像光学系の実施例３のレンズ構成図である。
【００９１】
広角光学系１は、図３に示すとおり、物体側より順に、明るさ絞りＳと、両凸正レンズからなる第１レンズＬ１と、像面側に凸面を向けた負メニスカスレンズからなる第２レンズＬ２と、物体側に凸面を向けた負メニスカスレンズからなる第３レンズＬ３と、カバーガラスＣと、で構成されている。
【００９２】
また、第１レンズＬ１、第２レンズＬ２及び第３レンズＬ３は、いずれも両面に非球面が用いられている。特に、第３レンズＬ３における非球面は、周辺部を弱い負又は正の屈折力となるような形状で、条件式（１）を満たすように構成されている。
【００９３】
図４は本発明の撮像光学系の実施例４のレンズ構成図である。
【００９４】
広角光学系１は、図４に示すとおり、物体側より順に、明るさ絞りＳと、両凸正レンズからなる第１レンズＬ１と、像面側に凸面を向けた負メニスカスレンズからなる第２レンズＬ２と、物体側に凸面を向けた負メニスカスレンズからなる第３レンズＬ３と、カバーガラスＣと、で構成されている。
【００９５】
また、第１レンズＬ１、第２レンズＬ２及び第３レンズＬ３は、いずれも両面に非球面が用いられている。特に、第３レンズＬ３における非球面は、周辺部を弱い負又は正の屈折力となるような形状で、条件式（１）を満たすように構成されている。
【００９６】
図５は本発明の撮像光学系の実施例５のレンズ構成図である。
【００９７】
広角光学系１は、図５に示すとおり、物体側より順に、明るさ絞りＳと、両凸正レンズからなる第１レンズＬ１と、像面側に凸面を向けた負メニスカスレンズからなる第２レンズＬ２と、物体側に凸面を向けた負メニスカスレンズからなる第３レンズＬ３と、カバーガラスＣと、で構成されている。
【００９８】
また、第１レンズＬ１、第２レンズＬ２及び第３レンズＬ３は、いずれも両面に非球面が用いられている。特に、第３レンズＬ３における非球面は、周辺部を弱い負又は正の屈折力となるような形状で、条件式（１）を満たすように構成されている。
【００９９】
図６は本発明の撮像光学系の実施例６のレンズ構成図である。
【０１００】
広角光学系１は、図６に示すとおり、物体側より順に、明るさ絞りＳと、両凸正レンズからなる第１レンズＬ１と、像面側に凸面を向けた負メニスカスレンズからなる第２レンズＬ２と、物体側に凸面を向けた負メニスカスレンズからなる第３レンズＬ３と、カバーガラスＣと、で構成されている。
【０１０１】
また、第１レンズＬ１、第２レンズＬ２及び第３レンズＬ３は、いずれも両面に非球面が用いられている。特に、第３レンズＬ３における非球面は、周辺部を弱い負又は正の屈折力となるような形状で、条件式（１）を満たすように構成されている。
【０１０２】
図７は本発明の撮像光学系の実施例７のレンズ構成図である。
【０１０３】
広角光学系１は、図７に示すとおり、物体側より順に、明るさ絞りＳと、両凸正レンズからなる第１レンズＬ１と、像面側に凸面を向けた負メニスカスレンズからなる第２レンズＬ２と、物体側に凸面を向けた負メニスカスレンズからなる第３レンズＬ３と、カバーガラスＣと、で構成されている。
【０１０４】
また、第１レンズＬ１、第２レンズＬ２及び第３レンズＬ３は、いずれも両面に非球面が用いられている。特に、第３レンズＬ３における非球面は、周辺部を弱い負又は正の屈折力となるような形状で、条件式（１）を満たすように構成されている。
【０１０５】
以下に、上記実施例１〜７の数値データを示す。また各条件式の値もまとめて示す。
【０１０６】
これら実施例の数値データ及び各条件式の値は、ｒは各レンズ面の曲率半径、ｄは各レンズ面間の間隔、ｎは各レンズのｄ線の屈折率、νは各レンズのアッベ数である。また、像面のｒはそれぞれの曲率半径である。なお、非球面形状は、ｘを光の進行方向を正とした光軸とし、ｙを光軸と直交する方向にとると、下記の式にて表される。
【０１０７】
ｘ＝（ｙ2 ／ｒ）／［１＋｛１−（K＋１）（ｙ／ｒ）2 ｝1/2 ］
＋A4ｙ4 ＋A6ｙ6 ＋A8ｙ8＋A10ｙ10
ただし、ｒは近軸曲率半径、Kは円錐係数、A4、A6、A8、A10は、それぞれ４次、６次、８次、１０次の非球面係数である。
【０１０８】
また、数値データ内のE±N（Nは整数）は、×１０±Nを表す。
【０１０９】
数値実施例１
単位     ｍｍ
面データ
面番号                  ｒ         ｄ        ｎｄ      νｄ    有効径
1（絞り)             ∞        0.20                          0.63
2（非球面）         2.540      1.06     1.52559    56.45     0.88
3（非球面）        -1.141      0.19                          1.07
4（非球面）        -0.676      1.07     1.58393    30.21     1.12
5（非球面）        -1.454      0.67                          1.36
6（非球面）         1.721      0.57     1.52559    56.45     2.18
7（非球面）         1.300      0.83                          2.43
8                    ∞        0.50     1.51633    64.14     2.62
9                    ∞        0.30                          2.73
像面                   ∞
非球面係数
第２面
K=-3.173,A4=-1.53303E-02,A6=-5.57102E-02
第３面
K=-1.134,A4=-4.60752E-02,A6=4.54402E-02
第４面
K=-0.774,A4=3.24894E-01,A6=7.49671E-02
第５面
K=-0.296,A4=1.29553E-01,A6=2.03973E-02
第６面
K=-2.275,A4=-3.77809E-02,A6=1.95062E-03
第７面
K=-3.294,A4=-2.18975E-02,A6=-4.93279E-04
各種データ
焦点距離         3.55 
Ｆナンバー        2.8
半画角 38.4°
像高           2.8
レンズ全長        5.2
ＢＦ           1.48
【０１１０】
数値実施例２
単位     ｍｍ
面データ
面番号                  ｒ         ｄ        ｎｄ      νｄ    有効径
1（絞り)             ∞        0.20                         0.65
2（非球面）         2.528      1.18     1.52559    56.45    0.90
3（非球面）        -1.254      0.20                         1.09
4（非球面）        -0.739      1.02     1.58393    30.21    1.98
5（非球面）        -1.691      0.63                         1.39
6（非球面）         1.612      0.61     1.58393    30.21    2.06
7（非球面）         1.351      0.86                         2.36
8                    ∞        0.50     1.51633    64.14    2.60
9                    ∞        0.30                         2.71
像面                   ∞
非球面係数
第２面
K=-5.621,A4=1.40251E-02,A6=-5.20761E-02
第３面
K=-0.965,A4=-4.01327E-02
第４面
K=-0.739,A4=1.76074E-01,A6=1.51755E-02
第５面
K=0.067,A4=9.18177E-02,A6=2.68669E-02
第６面
K=-2.207,A4=-4.43963E-02,A6=1.25664E-03
第７面
K=-2.929,A4=-2.72328E-02,A6=-7.55043E-04
各種データ
焦点距離         3.64 
Ｆナンバー        2.8
半画角 37.6°
像高           2.8
レンズ全長        5.3
ＢＦ           1.49
【０１１１】
数値実施例３
単位     ｍｍ
面データ
面番号                  ｒ         ｄ        ｎｄ      νｄ    有効径
1（絞り)             ∞        0.20                         0.67
2（非球面）         3.315      1.15     1.53071    55.69    0.86
3（非球面）        -1.512      0.42                         1.12
4（非球面）        -0.760      0.88     1.58393    30.21    1.15
5（非球面）        -1.466      0.50                         1.38
6（非球面）         2.626      1.11     1.53071    55.69    1.94
7（非球面）         2.216      0.79                         2.43
8                    ∞        0.30     1.51633    64.14    2.64
9                    ∞        0.30                         2.70
像面                   ∞
非球面係数
第２面
K=-1.840,A4=-4.59100E-02,A6=-3.05100E-02,A8=-7.12400E-02
第３面
K=-1.218,A4=-7.36900E-02,A6=-2.97600E-02,A8=3.09400E-02,A10=-2.59300E-02
第４面
K=-0.926,A4=1.49100E-01,A6=1.07400E-01,A8=-8.17500E-02,A10=2.31100E-02
第５面
K=-0.490,A4=7.28800E-02,A6=5.67100E-02,A8=-1.36400E-02,A10=8.56100E-04
第６面
K=-7.093,A4=-2.29700E-02,A6=-6.43000E-04,A8=1.18900E-03,A10=-2.30700E-04
第７面
K=-1.369,A4=-6.13500E-02,A6=9.18900E-03,A8=-7.47900E-04,A10=-2.48600E-06
各種データ
焦点距離         3.73 
Ｆナンバー        2.8
半画角 36.8°
像高           2.8
レンズ全長        5.5
ＢＦ           1.28
【０１１２】
数値実施例４
単位     ｍｍ
面データ
面番号                  ｒ         ｄ        ｎｄ      νｄ    有効径
1（絞り)             ∞        0.10                         0.68
2（非球面）         3.076      1.11     1.53071    55.69    0.80
3（非球面）        -1.651      0.42                         1.05
4（非球面）        -0.838      0.80     1.63259    23.27    1.10
5（非球面）        -1.568      0.40                         1.30
6（非球面）         3.271      1.39     1.53071    55.69    1.67
7（非球面）         2.771      0.74                         2.38
8                    ∞        0.30     1.51633    64.14    2.66
9                    ∞        0.30                         2.72
像面                   ∞
非球面係数
第２面
K=-1.561,A4=-4.45188E-02,A6=-2.78685E-02,A8=-4.80497E-02
第３面
K=-1.110,A4=-7.35754E-02,A6=-2.18139E-03,A8=8.64574E-03,A10=-1.50468E-02
第４面
K=-0.906,A4=1.40870E-01,A6=1.10717E-01,A8=-7.36659E-02,A10=1.76769E-02
第５面
K=-0.424,A4=6.85954E-02,A6=5.20628E-02,A8=-1.17039E-02,A10=1.12392E-03
第６面
K=-15.009,A4=-1.96223E-02,A6=-7.60260E-03,A8=3.02406E-03,A10=-7.56075E-04
第７面
K=-2.040,A4=-4.50247E-02,A6=6.82918E-03,A8=-1.05009E-03,A10=3.98509E-05
各種データ
焦点距離         3.77 
Ｆナンバー        2.8
半画角 36.8°
像高           2.8
レンズ全長        5.5
ＢＦ           1.23
【０１１３】
数値実施例５
単位     ｍｍ
面データ
面番号                  ｒ         ｄ        ｎｄ      νｄ    有効径
1（絞り)             ∞        0.20                         0.67
2（非球面）         3.324      1.01     1.53071    55.69    0.85
3（非球面）        -1.674      0.54                         1.08
4（非球面）        -0.757      0.66     1.63493    23.90    1.18
5（非球面）        -1.327      0.30                         1.30
6（非球面）         3.358      1.50     1.53071    55.69    1.71
7（非球面）         2.819      0.49                         2.41
8                    ∞        0.55     1.51633    64.14    2.59
9                    ∞        0.30                         2.69
像面                   ∞
非球面係数
第２面
K=-5.092,A4=-5.50591E-02,A6=-5.09238E-02,A8=-7.58536E-02
第３面
K=-0.576,A4=-8.24414E-02,A6=-4.45512E-02,A8=5.35929E-02,A10=-3.84535E-02
第４面
K=-1.012,A4=1.68277E-01,A6=1.10237E-01,A8=-6.94271E-02,A10=1.40257E-02
第５面
K=-0.990,A4=1.04031E-01,A6=5.26561E-02,A8=-1.30418E-02
第６面
K=-17.986,A4=1.55583E-02,A6=-3.08028E-02,A8=1.16072E-02,A10=-1.74421E-03
第７面
K=-11.416,A4=1.13495E-03,A6=-9.12222E-03,A8=1.80868E-03,A10=-1.45708E-04
各種データ
焦点距離         3.71 
Ｆナンバー        2.8
半画角 37.3°
像高           2.8
レンズ全長        5.3
ＢＦ           1.15
【０１１４】
数値実施例６
単位     ｍｍ
面データ
面番号                  ｒ         ｄ        ｎｄ      νｄ    有効径
1（絞り)             ∞        0.30                          0.64
2（非球面）         2.745      1.25     1.53071    55.69     0.96
3（非球面）        -2.086      0.28                          1.23
4（非球面）        -0.972      0.62     1.63493    23.90     1.28
5（非球面）        -1.600      0.29                          1.32
6（非球面）         1.711      0.96     1.53071    55.69     1.63
7（非球面）         1.307      0.80                          2.19
8                    ∞        0.55     1.51633    64.14     2.38
9                    ∞        0.30                          2.59
像面                   ∞
非球面係数
第２面
K=-5.000,A4=-3.65347E-03,A6=-2.48862E-02,A8=-2.20502E-02
第３面
K=-5.000,A4=-9.48178E-02,A6=-4.58479E-03
第４面
K=-2.831,A4=2.18773E-02,A6=2.63702E-02
第５面
K=-0.910,A4=1.05916E-01,A6=1.59999E-02,A8=6.98342E-04
第６面
K=-5.000,A4=-5.52400E-02,A6=3.02948E-03
第７面
K=-3.786,A4=-3.16572E-02,A6=4.68703E-03,A8=-4.22895E-04
各種データ
焦点距離         3.59 
Ｆナンバー        2.8
半画角 37.7°
像高           2.8
レンズ全長        5.1
ＢＦ           1.47
【０１１５】
数値実施例７
単位     ｍｍ
面データ
面番号                  ｒ         ｄ        ｎｄ      νｄ    有効径
1（絞り)             ∞        0.24                         0.62
2（非球面）         2.323      0.94     1.52559    56.45    0.92
3（非球面）        -1.684      0.25                         1.09
4（非球面）        -0.771      0.48     1.58393    30.21    1.19
5（非球面）        -1.418      0.71                         1.18
6（非球面）         1.647      0.65     1.52559    56.45    1.93
7（非球面）         1.420      0.50                         2.25
8                    ∞        0.50     1.51633    64.14    2.47
9                    ∞        0.54                         2.61
像面                   ∞
非球面係数
第２面
K=1.373,A4=-6.48922E-02,A6=-7.14622E-02,A8=-3.64287E-02,A10=6.17409E-02
第３面
K=0.000,A4=-4.68358E-02,A6=2.92909E-02,A8=2.90073E-02,A10=-8.75951E-03
第４面
K=-1.002,A4=4.06561E-01,A6=-1.21298E-02,A8=-2.79473E-02,A10=3.67448E-03
第５面
K=-0.959,A4=2.53800E-01,A6=6.85022E-02,A8=-5.74446E-02,A10=1.15390E-02
第６面
K=-5.072,A4=-2.83124E-02,A6=-1.16295E-02,A8=3.75786E-03,A10=-3.02246E-04
第７面
K=-4.453,A4=-2.25374E-02,A6=-7.90523E-03,A8=2.04710E-03,A10=-1.94628E-04
各種データ
焦点距離         3.48 
Ｆナンバー        2.8
半画角 38.8°
像高           2.8
レンズ全長        4.6
ＢＦ           1.37
【０１１６】
実施例１    実施例２    実施例３    実施例４
条件式 (１−１)      -0.187      -0.035      -0.008      -0.004
条件式 (１−２)       0.902       0.943       0.937       0.999
条件式 (２)           0.142       0.128       0.074       0.055
条件式（３）         30.21       30.21       30.21       23.27
条件式（４）          1.68        1.69        1.99        1.96
条件式（５）          0.66        0.67        0.66        0.67
条件式（６）         -1.01       -0.99       -0.99       -0.90
条件式（７）          0.27        0.26        0.36        0.40
条件式（８）         32.2        31.8        39.9        36.2 
条件式（９）          0.38        0.34        0.37        0.30
条件式 (１０−１)     0.415       0.410       0.344       0.327
条件式 (１０−２)    -0.807      -0.986      -0.747      -0.765
条件式 (１０−３)     0.000      -0.058       0.000       0.000
条件式 (１０−４)     1.597       1.619       1.760       2.000
【０１１７】
実施例５    実施例６    実施例７
条件式 (１−１)      -0.004      -0.061      -0.002
条件式 (１−２)       1.059       0.711       0.995
条件式 (２)           0.057       0.140       0.078
条件式（３）         23.9        23.9        30.21
条件式（４）          2.20        2.15        2.18
条件式（５）          0.68        0.69        0.74
条件式（６）         -0.88       -0.83       -0.70
条件式（７）          0.39        0.33        0.30
条件式（８）         35.3        42.7        34.3 
条件式（９）          0.33        0.13        0.16
条件式 (１０−１)     0.310       0.408       0.395
条件式 (１０−２)    -0.741      -0.573      -0.880
条件式 (１０−３)     0.000       0.000       0.000
条件式 (１０−４)     2.200       2.138       0.676
【０１１８】
以上の実施例１〜７の収差図をそれぞれ図８〜図１４に示す。これらの収差図において、ＳＡは球面収差、ＡＳは非点収差、ＤＴは歪曲収差を示す。各図中、ＦＮＯはＦナンバー、ＦＩＹは像高を示す。
【図面の簡単な説明】
【０１１９】
【図１】本発明の撮像光学系の実施例１の断面図である。
【図２】本発明の撮像光学系の実施例２の断面図である。
【図３】本発明の撮像光学系の実施例３の断面図である。
【図４】本発明の撮像光学系の実施例４の断面図である。
【図５】本発明の撮像光学系の実施例５の断面図である。
【図６】本発明の撮像光学系の実施例６の断面図である。
【図７】本発明の撮像光学系の実施例７の断面図である。
【図８】実施例１の収差図である。
【図９】実施例２の収差図である。
【図１０】実施例３の収差図である。
【図１１】実施例４の収差図である。
【図１２】実施例５の収差図である。
【図１３】実施例６の収差図である。
【図１４】実施例７の収差図である。
【図１５】条件式（１−１），（１−２）及び（２）におけるパラメータを示す図である。
【符号の説明】
【０１２０】
１…広角光学系
２…中心軸
３…像面
【図１】
0005259198.tif 000002
【図２】
0005259198.tif 000003
【図３】
0005259198.tif 000004
【図４】
0005259198.tif 000005
【図５】
0005259198.tif 000006
【図６】
0005259198.tif 000007
【図７】
0005259198.tif 000008
【図８】
0005259198.tif 000009
【図９】
0005259198.tif 000010
【図１０】
0005259198.tif 000011
【図１１】
0005259198.tif 000012
【図１２】
0005259198.tif 000013
【図１３】
0005259198.tif 000014
【図１４】
0005259198.tif 000015
【図１５】
0005259198.tif 000016